(57)【要約】      （修正有）【課題】キッチンとダイニングルームとの間に区画壁を設けることなく、加熱調理器の上方に相当する位置に、レンジフードを安定的に固定した対面型キッチンユニットを提供する。【解決手段】天井の構成部材における右奥角部の上方に相当する位置から鉛直下方へ延びる第１鉛直部材１０と、天井の構成部材における左奥角部の上方に相当する位置から鉛直下方へ延びる第２鉛直部材２０と、天井の構成部材における右前角部の上方に相当する位置から斜め下方に延びて第１鉛直部材１０に接合される第１斜め部材３０と、天井の構成部材における左前角部の上方に相当する位置から斜め下方に延びて第２鉛直部材２０に接合される第２斜め部材４０と、第１鉛直部材１０と第２鉛直部材２０との間に配置され、これらを連結する連結部材５０とを備える。第１鉛直部材１０、第２鉛直部材２０及び連結部材５０によって枠体が形成され、枠体にレンジフード６０が固定される。【選択図】図１
0003187640.tif 000002
【実用新案登録請求の範囲】
【請求項１】
ダイニングルームを見渡せるように設置される対面型キッチンユニットであって、
前記対面型キッチンユニットは、平面視ほぼ矩形の調理器設置部を備えるとともに、前記調理器設置部に加熱調理器を備え、
前記加熱調理器の正面と向き合う人から見て前記調理器設置部の右奥側の角部を右奥角部とし、同左奥側の角部を左奥角部とし、同右手前側の角部を右前角部とし、同左手前側の角部を左前角部とし、
前記ダイニングルームの天井を構成する部材における、前記右奥角部の上方に相当する位置から、鉛直下方へ向けて延びて、前記天井と前記右奥角部との間における所定の高さの位置まで至る、棒状の第１鉛直部材と、
前記ダイニングルームの前記天井を構成する部材における、前記左奥角部の上方に相当する位置から、鉛直下方へ向けて延びて、前記天井と前記左奥角部との間における所定の高さの位置まで至る、棒状の第２鉛直部材と、
前記ダイニングルームの前記天井を構成する部材における、前記右前角部の上方に相当する位置から、前記第１鉛直部材方向へ向けて斜め下方に延びて、前記第１鉛直部材の上端から下端までの間の所定の位置まで至り、そこに接合される、棒状の第１斜め部材と、
前記ダイニングルームの前記天井を構成する部材における、前記左前角部の上方に相当する位置から、前記第２鉛直部材方向へ向けて斜め下方に延びて、前記第２鉛直部材の上端から下端までの間の所定の位置まで至り、そこに接合される、棒状の第２斜め部材と、
前記第１鉛直部材と前記第２鉛直部材との間に水平に配置され、これらを連結する、棒状の連結部材とを備え、
前記第１鉛直部材、前記第２鉛直部材、及び前記連結部材によって枠体が形成され、
前記枠体にレンジフードが固定されている
ことを特徴とする対面型キッチンユニット。
【考案の詳細な説明】
【技術分野】
【０００１】
本考案は、対面型キッチンユニットに関し、特に、ダイニングルームにいる家族とのコミュニケーションがとりやすい対面型キッチンユニットに関する。
【背景技術】
【０００２】
従来の対面型キッチンユニットとして、以下のようなものが知られている。
キッチンとダイニングルームとの間に区画壁を設け、この区画壁のキッチン側に、対面型キッチンユニットを設置する。また、対面型キッチンユニットは、所定の間隔で配置したシンクと加熱調理器とを備える。さらにまた、区画壁における、シンクの前方に相当する位置に、開口部を設ける。さらに、区画壁における、加熱調理器の前方かつ上方に相当する位置に、レンジフードを固定する。そして、区画壁に設けた開口部を介して、キッチン内の調理者が、ダイニングルームにいる家族とコミュニケーションがとれるようにしている（特許文献１参照）。
【先行技術文献】
【特許文献】
【０００３】
【特許文献１】特開２００４−３２１３３９号公報
【考案の概要】
【考案が解決しようとする課題】
【０００４】
しかし、区画壁に開口部を設け、この開口部を介して、ダイニングルームにいる家族とコミュニケーションをとれるようにしても、区画壁の存在は依然としてわずらわしい。
一方、区画壁を取り除くと、加熱調理器の上方に相当する位置に、レンジフードを安定的に固定することができなくなってしまう。
【０００５】
したがって、本考案が解決しようとする課題は、キッチンとダイニングルームとの間に区画壁を設けることなく、加熱調理器の上方に相当する位置に、レンジフードを安定的に固定できるようにすることである。
【課題を解決するための手段】
【０００６】
（請求項１）
請求項１記載の考案は、
ダイニングルームを見渡せるように設置される対面型キッチンユニットであって、
前記対面型キッチンユニットは、平面視ほぼ矩形の調理器設置部を備えるとともに、前記調理器設置部に加熱調理器を備え、
前記加熱調理器の正面と向き合う人から見て前記調理器設置部の右奥側の角部を右奥角部とし、同左奥側の角部を左奥角部とし、同右手前側の角部を右前角部とし、同左手前側の角部を左前角部とし、
前記ダイニングルームの天井を構成する部材における、前記右奥角部の上方に相当する位置から、鉛直下方へ向けて延びて、前記天井と前記右奥角部との間における所定の高さの位置まで至る、棒状の第１鉛直部材１０と、
前記ダイニングルームの前記天井を構成する部材における、前記左奥角部の上方に相当する位置から、鉛直下方へ向けて延びて、前記天井と前記左奥角部との間における所定の高さの位置まで至る、棒状の第２鉛直部材２０と、
前記ダイニングルームの前記天井を構成する部材における、前記右前角部の上方に相当する位置から、前記第１鉛直部材１０方向へ向けて斜め下方に延びて、前記第１鉛直部材１０の上端から下端までの間の所定の位置まで至り、そこに接合される、棒状の第１斜め部材３０と、
前記ダイニングルームの前記天井を構成する部材における、前記左前角部の上方に相当する位置から、前記第２鉛直部材２０方向へ向けて斜め下方に延びて、前記第２鉛直部材２０の上端から下端までの間の所定の位置まで至り、そこに接合される、棒状の第２斜め部材４０と、
前記第１鉛直部材１０と前記第２鉛直部材２０との間に水平に配置され、これらを連結する、棒状の連結部材５０とを備え、
前記第１鉛直部材１０、前記第２鉛直部材２０、及び前記連結部材５０によって枠体が形成され、
前記枠体にレンジフード６０が固定されている
ことを特徴とする対面型キッチンユニットである。
【０００７】
「調理器設置部」は、対面型キッチンユニットにおいて、加熱調理器が設置される部分をいう。この調理器設置部は、平面視ほぼ矩形とされる。そして、この調理器設置部に、加熱調理器が設置される。
「右奥角部」とは、キッチン内において加熱調理器の正面と向き合う人（調理者）から見て、調理器設置部の右奥側の角部をいう。同様に、「左奥角部」とは、調理器設置部の左奥側の角部をいい、「右前角部」とは、調理器設置部の右手前側の角部をいい、「左前角部」とは、調理器設置部の左手前側の角部をいう。
【０００８】
「ダイニングルームの天井を構成する部材」として、例えば、天井を構成する面材（下地材、仕上げ材、合板）や、天井を構成する梁材（横架材）を挙げることができる。
「第１鉛直部材１０」は、ダイニングルームの天井を構成する部材における、右奥角部の上方に相当する位置から、鉛直下方へ向けて延びて、天井と右奥角部との間における所定の高さの位置まで至る、棒状の部材である。
【０００９】
ここで、第１鉛直部材１０は、その上端又は上端付近を、例えば、ダイニングルームの天井を構成する部材としての面材や横架材に固定することができる。
また、第１鉛直部材１０の面材や横架材への固定には、例えば、釘や、木ネジ（コーススレッド）や、ビスや、金物や、ボルト及びナット等を用いることができる。
また、第１鉛直部材１０は、その下端が、右奥角部までは至らず、宙に浮いたような状態となる。すなわち、第１鉛直部材１０は、天井から吊り下げられるように固定される。
【００１０】
また、第１鉛直部材１０として、例えば、四角棒状（柱状）の木材（角材）を用いることができる。
なお、第１鉛直部材１０の形状は、四角棒状に限られるものではなく、例えば、円柱棒状としてもよい。
また、第１鉛直部材１０の材料は、木材に限られるものではなく、例えば、アルミニウムやステンレス等の金属材料としてもよい。
【００１１】
「第２鉛直部材２０」は、ダイニングルームの天井を構成する部材における、左奥角部の上方に相当する位置から、鉛直下方へ向けて延びて、天井と左奥角部との間における所定の高さの位置まで至る、棒状の部材である。
第２鉛直部材２０の構造、形状及び材料については、第１鉛直部材１０と同様である。
【００１２】
「第１斜め部材３０」は、ダイニングルームの天井を構成する部材における、右前角部の上方に相当する位置から、第１鉛直部材１０方向へ向けて斜め下方に延びて、第１鉛直部材１０の上端から下端までの間の所定の位置まで至り、そこに接合される、棒状の部材である。
ここで、第１斜め部材３０は、その上端又は上端付近を、例えば、ダイニングルームの天井を構成する部材としての面材や横架材に固定することができる。
また、第１斜め部材３０の面材や横架材への固定には、例えば、釘や、木ネジや、ビスや、金物や、ボルト及びナット等を用いることができる。
【００１３】
さらに、第１鉛直部材１０及び第１斜め部材３０を面材に固定する場合には、例えば、第１鉛直部材１０と第１斜め部材３０との間に、これらを連結する補助部材を設け、この補助部材を面材に固定することができる。これにより、第１鉛直部材１０及び第１斜め部材３０の面材への固定をより確実にすることができる。
また、第１斜め部材３０は、その下端を、例えば、第１鉛直部材１０の下端に接合してもよく、また、第１鉛直部材１０の上下の中間位置に接合してもよい。
さらに、第１斜め部材３０と第１鉛直部材１０とは、例えば、釘や、木ネジや、ビスや、金物や、ボルト及びナット等で接合することができる。
【００１４】
さらに、第１斜め部材３０として、例えば、四角棒状の木材を用いることができる。
また、第１斜め部材３０として、例えば、金属製の円柱棒を用いることができ、さらには、金属製の円柱棒の外周面に、一端から他端まで至る雄ネジを形成した、いわゆる全ネジボルトを用いることもできる。
すなわち、第１斜め部材３０の形状は、四角棒状や円柱棒状とすることができ、また、第１斜め部材３０の材料は、木材や金属材料とすることができる。
【００１５】
「第２斜め部材４０」は、ダイニングルームの天井を構成する部材における、左前角部の上方に相当する位置から、第２鉛直部材２０方向へ向けて斜め下方に延びて、第２鉛直部材２０の上端から下端までの間の所定の位置まで至り、そこに接合される、棒状の部材である。
第２斜め部材４０の構造、形状及び材料については、第１斜め部材３０と同様である。
【００１６】
「連結部材５０」は、第１鉛直部材１０と前記第２鉛直部材２０との間に水平に配置され、これらを連結する、棒状の部材である。
すなわち、連結部材５０は、一端を第１鉛直部材１０に接合され、他端を第２鉛直部材２０に接合される。また、連結部材５０の接合位置は、第１鉛直部材１０及び第２鉛直部材２０それぞれの下端としてもよく、また、第１鉛直部材１０及び第２鉛直部材２０それぞれの上下の中間位置としてもよい。
【００１７】
また、連結部材５０と第１鉛直部材１０及び第２鉛直部材２０との接合には、例えば、釘や、木ネジや、ビスや、金物や、ボルト及びナット等を用いることができる。
さらに、連結部材５０として、例えば、四角棒状の木材を用いることができる。
なお、連結部材５０の形状は、四角棒状に限られるものではなく、例えば、円柱棒状としてもよい。
また、連結部材５０の材料は、木材に限られるものではなく、例えば、アルミニウムやステンレス等の金属材料としてもよい。
【００１８】
そして、第１鉛直部材１０、第２鉛直部材２０、及び連結部材５０によって枠体が形成され、この枠体にレンジフード６０が固定される。
ここで、レンジフード６０は、第１鉛直部材１０及び第２鉛直部材２０にのみ固定し、連結部材５０には固定しなくてもよく、第１鉛直部材１０、第２鉛直部材２０、及び連結部材５０のすべてに固定してもよい。
また、レンジフード６０と枠体（第１鉛直部材１０、第２鉛直部材２０、連結部材５０）との固定には、例えば、釘や、木ネジや、ビスや、金物や、ボルト及びナット等を用いることができる。
【００１９】
このように、本考案では、第１鉛直部材１０、第２鉛直部材２０、第１斜め部材３０、第２斜め部材４０、及び連結部材５０により、枠状（フレーム状）のレンジフード吊り下げ具が構成される。そして、このレンジフード吊り下げ具の構成部材のうち、第１鉛直部材１０、第２鉛直部材２０、及び連結部材５０によって形成される枠体に、レンジフード６０が固定される。
これにより、キッチンとダイニングルームとの間に区画壁を設けることなく、加熱調理器の上方に相当する位置に、レンジフード６０を安定的に固定することができる。
【考案の効果】
【００２０】
本考案によれば、キッチンとダイニングルームとの間に区画壁を設けることなく、加熱調理器の上方に相当する位置に、レンジフードを安定的に固定することができる。
【図面の簡単な説明】
【００２１】
【図１】本考案の対面型キッチンユニットが備えるレンジフード吊り下げ具及びレンジフードを示す斜視図である。
【図２】本考案の対面型キッチンユニットが備えるレンジフード吊り下げ具及びレンジフードを示す正面図である。
【図３】本考案の対面型キッチンユニットが備えるレンジフード吊り下げ具及びレンジフードを示す背面図である。
【図４】本考案の対面型キッチンユニットが備えるレンジフード吊り下げ具及びレンジフードを示す平面図である。
【図５】本考案の対面型キッチンユニットが備えるレンジフード吊り下げ具及びレンジフードを示す底面図である。
【図６】本考案の対面型キッチンユニットが備えるレンジフード吊り下げ具及びレンジフードを示す側面図である。
【考案を実施するための形態】
【００２２】
本考案の実施の形態を、図１〜図６に基づいて説明する。
本考案に係る対面型キッチンユニットは、ダイニングルームを見渡せるように設置されるものである。
また、対面型キッチンユニットは、平面視ほぼ矩形の調理器設置部を備え、この調理器設置部に、加熱調理器が設置されている。そして、加熱調理器の上方に相当する位置に、レンジフード６０を天井から吊り下げるためのレンジフード吊り下げ具を備え、このレンジフード吊り下げ具に、レンジフード６０が固定されているものである。
【００２３】
また、レンジフード吊り下げ具は、第１鉛直部材１０、第２鉛直部材２０、第１斜め部材３０、第２斜め部材４０、及び連結部材５０を備えている。
ここで、キッチン内において加熱調理器の正面と向き合う人（調理者）から見て、調理器設置部の右奥側の角部を右奥角部とし、同左奥側の角部を左奥角部とし、同右手前側の角部を右前角部とし、同左手前側の角部を左前角部とする。
【００２４】
図１〜図６に示すように、第１鉛直部材１０は、ダイニングルームの天井を構成する部材における、右奥角部の上方に相当する位置から、鉛直下方へ向けて延びて、天井と右奥角部との間における所定の高さの位置まで至る、棒状の部材である。
本実施形態では、第１鉛直部材１０として、四角棒状（柱状）の木材（角材）を用いている。そして、第１鉛直部材１０は、その上端を、金物、ボルト及びナットを用いて、ダイニングルームの天井を構成する部材としての梁（横架材）に固定されている。
また、第１鉛直部材１０は、その下端が、右奥角部までは至らず、宙に浮いたような状態となっている。すなわち、第１鉛直部材１０は、天井から吊り下げられるように固定されている。
【００２５】
図１〜図６に示すように、第２鉛直部材２０は、ダイニングルームの天井を構成する部材における、左奥角部の上方に相当する位置から、鉛直下方へ向けて延びて、天井と左奥角部との間における所定の高さの位置まで至る、棒状の部材である。
第２鉛直部材２０は、天井を構成する部材への固定位置が、第１鉛直部材１０とは異なるものの、構造、形状及び材料については、第１鉛直部材１０と同様である。
【００２６】
図１〜図６に示すように、第１斜め部材３０は、ダイニングルームの天井を構成する部材における、右前角部の上方に相当する位置から、第１鉛直部材１０方向へ向けて斜め下方に延びて、第１鉛直部材１０の上端から下端までの間の所定の位置まで至り、そこに接合される、棒状の部材である。
本実施形態では、第１斜め部材３０として、四角棒状の木材を用いている。そして、第１斜め部材３０は、その上端を、金物、ボルト及びナットを用いて、ダイニングルームの天井を構成する部材としての梁に固定されている。
また、第１斜め部材３０は、その下端を、第１鉛直部材１０の上下の中間位置よりもやや下方に接合されている。さらに、第１斜め部材３０と第１鉛直部材１０とは、木ネジ（コーススレッド）を用いて接合されている。
【００２７】
図１〜図６に示すように、第２斜め部材４０は、ダイニングルームの天井を構成する部材における、左前角部の上方に相当する位置から、第２鉛直部材２０方向へ向けて斜め下方に延びて、第２鉛直部材２０の上端から下端までの間の所定の位置まで至り、そこに接合される、棒状の部材である。
第２斜め部材４０は、天井を構成する部材への固定位置が、第１斜め部材３０とは異なるとともに、その下端が第２鉛直部材２０に接合される点で、第１斜め部材３０とは異なるものの、構造、形状及び材料については、第１斜め部材２０と同様である。
【００２８】
図１〜６に示すように、連結部材５０は、第１鉛直部材１０と第２鉛直部材２０との間に水平に配置され、これらを連結する、棒状の部材である。
本実施形態では、連結部材５０として、四角棒状の木材を用いている。そして、連結部材５０は、一端を第１鉛直部材１０の下端に接合され、他端を第２鉛直部材２０の下端に接合されている。また、連結部材５０と第１鉛直部材１０及び第２鉛直部材２０とは、木ネジを用いて接合されている。
【００２９】
そして、本実施形態では、第１鉛直部材１０、第２鉛直部材２０、及び連結部材５０によって、開放部が上向きの「コ」字形の枠体が形成され、この枠体にレンジフード６０が固定されている。
また、本実施形態では、レンジフード６０は、第１鉛直部材１０側の上下２箇所をビスで第１鉛直部材１０に固定されているとともに、第２鉛直部材２０側の上下２箇所をビスで第２鉛直部材２０に固定されている。
【００３０】
このように、本実施形態では、第１鉛直部材１０、第２鉛直部材２０、第１斜め部材３０、第２斜め部材４０、及び連結部材５０によって、枠状（フレーム状）のレンジフード吊り下げ具が構成されている。そして、このレンジフード吊り下げ具を構成する部材のうち、第１鉛直部材１０、第２鉛直部材２０、及び連結部材５０によって形成される枠体に、レンジフード６０が固定されている。
これにより、キッチンとダイニングルームとの間に区画壁を設けることなく、加熱調理器の上方に相当する位置に、レンジフード６０を安定的に固定することができる。
【符号の説明】
【００３１】
１０  第１鉛直部材
２０  第２鉛直部材
３０  第１斜め部材
４０  第２斜め部材
５０  連結部材
６０  レンジフード
【図１】
0003187640.tif 000003
【図２】
0003187640.tif 000004
【図３】
0003187640.tif 000005
【図４】
0003187640.tif 000006
【図５】
0003187640.tif 000007
【図６】
0003187640.tif 000008